(57)【要約】【課題】記録媒体再生部から音声データが２種類出力される構成においても、コストアップを極力抑制しつつそれらを処理できる車両用ナビゲーション装置を提供する。【解決手段】メインＣＰＵ６は、ナビゲーション機能を実現するための処理を実行すると共に、ＤＶＤ再生部２により再生された画像データを処理してディスプレイ１３に表示させる。また、サンプリングレート変換ＩＣ１０及び暗号化ＩＣ１１を別途備え、ＤＶＤ再生部２は、音声データを２つの異なる再生環境に対応した２種類の信号形態でそれぞれ出力し、メインＣＰＵ６はデータ処理量が少ない方についてサンプリングレート変換処理を行い、処理後のデータを暗号化ＩＣ１１に出力する。サンプリングレート変換ＩＣ１０はデータ処理量が多い方について変換処理を行い、処理後のデータを暗号化ＩＣ１１に出力する。暗号化ＩＣ１１より暗号化された音声データは、音声出力回路１４を介してナビゲーション装置１の外部に出力される。【選択図】図１
2015152437.tif 000002
【特許請求の範囲】
【請求項１】
画像データ及び音声データが記録されている記録媒体を再生する記録媒体再生部（２）を備えてなる車両用ナビゲーション装置（１）において、
ナビゲーション機能を実現するための処理を実行すると共に、前記記録媒体再生部により再生された画像データを処理して表示部に表示させるＣＰＵ（６）と、
前記記録媒体再生部により再生された音声データのサンプリングレートを一定値に変換する機能を備えるサンプリングレート変換ＩＣ（１０）と、
前記サンプリングレートが一定値に変換された音声データを暗号化する機能を備える暗号化ＩＣ（１１）と、
この暗号化ＩＣにより暗号化された音声データを外部に出力する音声出力部（１４）とを備え、
前記記録媒体再生部は、前記音声データを、２つの異なる再生環境に対応した２種類の信号形態でそれぞれ出力し、
前記ＣＰＵは、前記２種類の信号形態のうちデータ処理量が少ない方について、前記サンプリングレート変換ＩＣと同様の変換処理を行い、処理後のデータを前記暗号化ＩＣに出力し、
前記サンプリングレート変換ＩＣは、前記２種類の信号種類のうちデータ処理量が多い方についてサンプリングレート変換処理を行い、処理後のデータを前記暗号化ＩＣに出力するように構成されていることを特徴とする車両用ナビゲーション装置。
【請求項２】
前記２種類のうち一方は前部座席側の再生環境に対応した信号形態で、他方は後部座席側の再生環境に対応した信号形態であることを特徴とする請求項１記載の車両用ナビゲーション装置。
【請求項３】
前記２種類の信号形態の一方は２ｃｈ音声データであり、他方は５．１ｃｈ音声データであることを特徴とする請求項１又は２記載の車両用ナビゲーション装置。
【発明の詳細な説明】
【技術分野】
【０００１】
本発明は、記録媒体再生部を備えてなる車両用ナビゲーション装置に関する。
【背景技術】
【０００２】
車両用ナビゲーション装置には、ＤＶＤ（Digital Versatile Disk）再生機能を備えているものがある。近年、ＤＶＤより再生される音声には、５．１ｃｈなどのマルチチャネル形式を含むものが多くなっており、それに伴い、車室内に設置されるオーディオビデオ（ＡＶ）システムにおいても、マルチチャネルに対応したシステムが構成されることがある。更に、例えば車室内の前席側と後席側とで音声について異なる再生環境が設定され、ナビゲーション装置のＤＶＤ再生部が、前席側の音声信号と、後席側の音声信号とを予め別途用意して出力する構成になっている場合がある。尚、本発明と直接的な関連性はないが、特許文献１には、自動車向けＡＶ伝送システムの一例が開示されている。
【先行技術文献】
【特許文献】
【０００３】
【特許文献１】特開２００８−１５４１５１号公報
【発明の概要】
【発明が解決しようとする課題】
【０００４】
ここで、ナビゲーション装置を統括的に制御するＣＰＵが上記のような構成に対応するには、通常のナビゲーション処理に加えて、ＤＶＤより再生した画像や音声の処理も行う必要があるため、処理負担が増大する。ＣＰＵの処理負担が増大すれば、それに応じてより処理能力が高いＣＰＵを採用したり、信号処理用のＬＳＩを別途設ける等して対応することは考えられる。しかしながら、単純にこのような対応を行うと、ナビゲーション装置のコストアップにつながるため好ましくない。
【０００５】
本発明は上記事情に鑑みてなされたものであり、その目的は、記録媒体再生部から音声データが２種類出力される構成においても、コストアップを極力抑制しつつそれらを処理できる車両用ナビゲーション装置を提供することにある。
【課題を解決するための手段】
【０００６】
請求項１記載の車両用ナビゲーション装置によれば、ＣＰＵは、ナビゲーション機能を実現するための処理を実行すると共に、記録媒体再生部により再生された画像データを処理して表示部に表示させる。また、記録媒体再生部により再生された音声データのサンプリングレートを一定値に変換する機能を有するサンプリングレート変換ＩＣと、サンプリングレートが一定値に変換された音声データを暗号化する機能を有する暗号化ＩＣとを備える。
【０００７】
記録媒体再生部は、音声データを、２つの異なる再生環境に対応した２種類の信号形態でそれぞれ出力し、ＣＰＵは、２種類の信号形態のうちデータ処理量が少ない方についてサンプリングレート変換ＩＣと同様の変換処理を行い、処理後のデータを暗号化ＩＣに出力する。また、サンプリングレート変換ＩＣは、２種類の信号種類のうちデータ処理量が多い方についてサンプリングレート変換処理を行い、処理後のデータを暗号化ＩＣに出力する。暗号化ＩＣにより暗号化された音声データは、音声出力部を介して外部に出力される。
【０００８】
すなわち、既存のＣＰＵにデータ処理量が少ない方の音声データを処理させつつ、追加したサンプリングレート変換ＩＣによりデータ処理量が多い方の音声データを処理させる。したがって、サンプリングレート変換ＩＣには、入力チャネルが１チャネルのものを採用すれば良い。また、サンプリングレートを変換した２種類の音声データの暗号化は、一括して暗号化ＩＣに行わせることで、ＣＰＵ，サンプリングレート変換ＩＣ，暗号化ＩＣ間で記録媒体再生時の処理負担を分散させる。このように構成すれば、コストの上昇を極力抑制しつつ、２種類の信号形態で出力される音声データを処理することができる。
【図面の簡単な説明】
【０００９】
【図１】一実施形態であり、車両用ナビゲーション装置の構成を要部について示す機能ブロック図
【図２】車室内における複数のスピーカの配置の一例を示す図
【発明を実施するための形態】
【００１０】
図１に示すように、車両用ナビゲーション装置１はＤＶＤ再生部２（記録媒体再生部）を有しており、そのＤＶＤ再生部２は、ＤＶＤデッキ３，ＤＶＤ映像処理回路４及びＤＶＤ音声処理回路５等で構成されている。ＤＶＤデッキ３は、図示しないが、ＤＶＤ（記録媒体）をローディング／イジェクトするための機構やＤＶＤドライブ，ピックアップ部等で構成されており、ローディングされたＤＶＤを回転駆動させて記録されているデジタル信号をレーザ光により読み取り、映像信号及び音声信号を再生する。
【００１１】
ここで、図２に示すように、ナビゲーション装置１が搭載されている車両の車室内には、音声信号の再生環境が前席側と後席側とで個別に設定されており、前席側は５．１（前Ｌ，前Ｒ，後Ｌ，後Ｒ，センタ，サブウーハ）ｃｈ，後席側は２ｃｈ（Ｌ，Ｒ）となっている。前方（センタ）スピーカ２１は車室前方の中央に配置され、サブウーハ２２は車室後方の中央に配置されている。前席左前（前Ｌ）スピーカ２３Ｌは車室前方の左側に、前席右前（前Ｒ）スピーカ２３Ｒは車室前方の右側に配置されている。前席左後（後Ｌ）スピーカ２４Ｌは車室中央付近の左側に、前席右後（後Ｒ）スピーカ２４Ｒは車室中央付近の右側に配置されている。後席左（Ｌ）スピーカ２５Ｌは車室後方の左側に、後席右（Ｒ）スピーカ２５Ｒは車室後方の右側に配置されている。
【００１２】
再び、図１を参照する。ＤＶＤ映像処理回路４は、上記２種類の再生環境に対応して、ＤＶＤデッキ３より入力された音声信号を予め、前席側の５．１ｃｈ音声信号と、後席側の２ｃｈ音声信号とに分けて出力するように構成されている。これらは、例えばＩ２Ｃ（Inter-IC Sound）フォーマットに準拠して、前席側の５．１ｃｈ音声信号は、BTCK（ビットクロック），LRCK（ＬＲクロック），DATA1〜3からなる５本の信号線で出力され、後席側の２ｃｈ音声信号は、BTCK，LRCK，DATAからなる３本の信号線で出力される。
【００１３】
メインＣＰＵ６は、ナビゲーション装置１を統括的に制御するもので、一般的なナビゲーション処理を行うナビゲーション処理部７，映像信号を処理する映像処理部８，音声信号を処理する音声処理部９等を備えている。また、ナビゲーション装置１は、メインＣＰＵ６とは別個に、サンプリングレート変換ＩＣ１０と、暗号化ＩＣ１１とを備えている。
【００１４】
メインＣＰＵ６は、ナビゲーション処理部７において、図示しないＧＰＳ（Global Positioning System）受信部を介して受信したＧＰＳ信号に基づいて車両の測位を行ったり、地図データ上での経路探索処理等を行う。映像処理部８は、ＤＶＤ再生部２のＤＶＤ映像処理回路４より入力される映像信号を処理すると、処理後の映像信号を映像出力回路１２を介してディスプレイ１３（表示部）に出力し、画像を表示させる。尚、ナビゲーション用としてディスプレイ１３に表示させる地図データの記録媒体は、例えばＤＶＤデッキ３とは別個に設けられているＤＶＤデッキ（図示せず）により再生されるＤＶＤである。或いは、それとは別個に設けられるハードディスク（記憶装置）やＳＤカード（登録商標）などでも良い。
【００１５】
音声処理部９には、ＤＶＤ再生部２より後席側の２ｃｈ音声信号が入力されており、音声処理部９は、これらの音声信号についてサンプリングレート変換（ＳＲＣ，例えば９６ｋＨｚ）を行い、暗号化ＩＣ１１に出力する。サンプリングレート変換ＩＣ１０には、ＤＶＤ再生部２より前席側の５．１ｃｈ音声信号が入力されており、サンプリングレート変換ＩＣ１０は、これらの音声信号について同様にサンプリングレート変換を行い、暗号化ＩＣ１１に出力する。
尚、メインＣＰＵ６のスペックの一例を示すと、最大動作周波数が４００ＭＨｚ，３２ビットのコアを３個備え、各コアについて設けられる命令キャッシュ，データキャッシュはそれぞれ３２ｋバイトである。
【００１６】
暗号化ＩＣ１１は、入力された音声信号を保護するために暗号化処理（ＤＴＣＰ；Digital Transmission Content Protection）し、音声出力回路１４（音声出力部）を介してナビゲーション装置１外部のアンプ１５に出力する。尚、ナビゲーション処理部７により出力されるナビゲーション用の音声信号も同様に、音声出力回路１４を介してアンプ１５に出力される。ここで、音声出力回路１４は、例えばＭＯＳＴ（Media Oriented System Transport）などの通信インターフェイスであっても良い。アンプ１５に入力された音声信号は、復号化されると、それぞれ対応する信号が増幅されて各スピーカ２１〜２５に出力される。
【００１７】
以上のように本実施形態によれば、ナビゲーション装置１のメインＣＰＵ６は、ナビゲーション機能を実現するための処理を実行すると共に、ＤＶＤ再生部２により再生された画像データを処理してディスプレイ１３に表示させる。また、ナビゲーション装置１に、音声データのサンプリングレートを一定値に変換する機能を有するサンプリングレート変換ＩＣ１０と、変換後の音声データを暗号化する機能を有する暗号化ＩＣ１１とを別途備える。
【００１８】
ＤＶＤ再生部２は、音声データを、２つの異なる再生に環境に対応した２種類の信号形態でそれぞれ出力し、メインＣＰＵ６は、２種類の信号形態のうちデータ処理量が少ない方についてサンプリングレート変換ＩＣ１０と同様の変換処理を行い、処理後のデータを暗号化ＩＣ１１に出力する。また、サンプリングレート変換ＩＣ１０は、２種類の信号種類のうちデータ処理量が多い方についてサンプリングレート変換処理を行い、処理後のデータを暗号化ＩＣ１１に出力する。暗号化ＩＣ１１より暗号化された音声データは、音声出力回路１４を介してナビゲーション装置１の外部に出力される。
【００１９】
すなわち、既存のメインＣＰＵ６に、データ処理量が少ない方の音声データを処理させつつ、追加したサンプリングレート変換ＩＣ１０によりデータ処理量が多い方の音声データを処理させるので、サンプリングレート変換ＩＣ１０には入力チャネルが１チャネルのものを採用すれば良い。また、サンプリングレートを変換した２種類の音声データの暗号化は一括して暗号化ＩＣ１１に行わせることで、メインＣＰＵ６，サンプリングレート変換ＩＣ１０，暗号化ＩＣ１１間でＤＶＤ再生時の処理負担を分散させるようにした。
したがって、メインＣＰＵ６のスペックは従来のまま維持して、最小限の機能を外部で処理するようにサンプリングレート変換ＩＣ１０及び暗号化ＩＣ１１を追加することで、コストの上昇を極力抑制しつつ、２種類の信号形態で出力される音声データを処理することができる。
【００２０】
この場合、２種類のうち一方を前部座席側の再生環境に対応した信号形態とし、他方を後部座席側の再生環境に対応した信号形態とした。すなわち、車室内の音声再生環境は、前部座席側と後部座席側とで別個に設定されることが多いので、これら２種類の再生環境に対応させることが可能になる。また、２種類の信号形態の一方を２ｃｈ音声データとし、他方は５．１ｃｈ音声データとしたので、近年のＤＶＤに多く採用されている２種類の信号形態に対応できる。
【００２１】
本発明は上記した、又は図面に記載した実施形態にのみ限定されるものではなく、以下のような変形又は拡張が可能である。
メインＣＰＵ６のスペックは一例であり、個別の設計に応じて必要なスペックを適宜選択すれば良い。
記録媒体は、ＤＶＤに限ることなくＢｌｕｅ−Ｒａｙディスクでも良い（登録商標）。要は、画像データと音声データとが記憶されており、且つ音声データについては、２つの異なる再生環境に対応した２種類の信号形態で記憶されているものであれば良い。
【００２２】
ＤＶＤデッキ２により、マルチチャネルを含むハイブリッド型のＳＡＣＤ（登録商標）が再生可能であれば、ＤＶＤと同様に２ｃｈ音声データと、５．１ｃｈ音声データとを同時に再生しても良い。
また、２種類の信号形態は、２ｃｈ，５．１ｃｈの音声データに限らず、データ処理量に差がある２つの形態であれば良い。
また、必ずしも前部座席側，後部座席側の再生環境に対応した信号形態とする必要はなく、２種類の信号形態は、データ処理量に差があるという条件以外は任意である。
【符号の説明】
【００２３】
図面中、１は車両用ナビゲーション装置、２はＤＶＤ再生部（記録媒体再生部）、６はメインＣＰＵ、１０はサンプリングレート変換ＩＣ、１１は暗号化ＩＣ、１３はディスプレイ（表示部）、１４は音声出力回路（音声出力部）を示す。
【図１】
2015152437.tif 000003
【図２】
2015152437.tif 000004